(57)【特許請求の範囲】
【請求項１】
容器本体（２）に、容器本体（２）内の内容物を外部に噴射する噴射ステム（７）が突設されると共に、噴射ステム（７）の周囲を取り囲むカバー体（３）と、下向きに回動させて噴射ステム（７）を押圧操作するためのノズルボタン（４）とが設けられている容器（１）において、
ノズルボタン（４）に係止部（２８）が設けられ、該係止部（２８）に対応してカバー体（３）に係止片（２０）が設けられ、係止片（２０）が外部に露出すると共に係止片（２０）の先端側が係止部（２８）よりも上方に位置するように、前記係止片（２０）がカバー体（３）の天壁部（１３）に、折曲可能な基部（２２）を介して上向き突状に設けられ、ノズルボタン（４）を上向き回動させ、係止片（２０）を内方向となる係止部（２８）側に折曲することにより、噴射ステム（７）を押圧する位置にノズルボタン（４）を保持すべく係止片（２０）の先端側が係止部（２８）へ係止可能に構成されていることを特徴とする容器。
【請求項２】
前記ノズルボタン（４）とカバー体（３）が連結部（１６）を介して一体化されていることを特徴とする請求項１に記載の容器。
【請求項３】
前記ノズルボタン（４）とカバー体（３）が別体構造とされていることを特徴とする請求項１に記載の容器。
【請求項４】
カバー体（３）に、上下回動可能な連結部（１６）を介してノズルボタン保持案内筒（２９）が設けられていることを特徴とする請求項１又は３に記載の容器。
【請求項５】
カバー体（３）内に、残留内容物排出時にノズルボタン（４）が必要以上に回動しないように、ノズルボタン（４）の環状突部（３４）の下端縁から斜め上向きに設けた係止舌片からなるノズルボタン回動規制手段（３６）が設けられていることを特徴とする請求項３又は４に記載の容器。
【請求項６】
前記係止片（２０）先端側が係止部（２８）へ係止した際にノズルボタン（４）の内容物通路（２７）を閉塞する通路塞止片（３７）が設けられていることを特徴とする請求項１に記載の容器。
【請求項７】
前記係止片（２０）先端側の係止部（２８）への係止を解除する係止解除手段（３９）が設けられていることを特徴とする請求項１に記載の容器。
【請求項８】
ノズルボタン（４）に設けた係止部（２８）の上側に、カバー体（３）に設けた係止片（２０）を押し上げてその係止解除を行う係止解除段部（３９）が設けられていることを特徴とする請求項７に記載の容器。
【発明の詳細な説明】
【０００１】
【発明の属する技術分野】
本発明は、容器本体に内容物噴射用ノズルボタンを有するカバー体が装着された液化ガス、ヘアスプレー、殺虫剤スプレー等の容器に関するものである。
【０００２】
【従来の技術】
一般に、液化ガス、ヘアスプレー、殺虫剤スプレー、消臭剤スプレー等のエアゾール容器には、容器本体の上端部に、肩部を介して口部が設けられ、該口部にその開口を塞ぐようにマウンテンキャップが装着され、このマウンテンキャップの中央部に、容器本体内の内容液を外部に噴射する噴射ステムが上向きに突設されたものがある。
この種容器には、容器本体の上端部に、容器本体の肩部及びマウンテンキャップの外周部を覆うようにカバー体が嵌合装着されると共に、前記噴射ステムに、ノズルを有するノズルボタンが外嵌され、ノズルボタンの押圧部を下方に押圧操作することにより、噴射ステムから噴射された内容液がノズルボタンのノズルを通って外部に噴出させるように構成されたものがある（例えば実開平４−４１８８４号公報参照）。
【０００３】
従来、容器本体内の残留ガスを排出する機構を備えたエアゾール容器が提案されている（例えば実開平４−４１８８４号公報，実開平４−４５２８０号公報参照）。
上記従来技術の前者（実開平４−４１８８４号）では、ノズルボタン（噴射部材）が、カバー体（嵌着部材）の天壁部に設けたＣ型スリットの残部即ち連結部を介して接続され、該連結部を回動中心として上下方向に傾動可能とされ、前記連結部の反対側に位置して、ノズルボタンにその押圧操作部側壁に折り重ねうる係止舌片が下向きに設けられ、カバー体の前記スリットの内周縁が係止部とされている。そして、残留ガス排出時には、ノズルボタンをその押圧方向と逆方向に反転させ、前記係止舌片をカバー体から上方に露出させて上向きに折曲した後、再びノズルボタンを下向きに押圧操作し、噴射ステムを作動させて残留ガスを噴出させると共に、前記係止舌片の端部をカバー体の前記係止部に係止させて、ガス噴出状態を保持し、容器本体内の残留ガスを全部排出させてしまうようになっている。
【０００４】
また、従来技術の後者（実開平４−４５２８０号）では、前記係止舌片がノズルボタンの側壁に切込み溝を設けて上向きに露出して形成されている点で前者と異なっている。そして、残留ガス排出時には、ノズルボタン側の係止舌片を切込み溝が拡がる方向に屈曲させた後、ノズルボタンを下向きに押圧操作し、噴出ステムを作動させて残留ガスを噴出させると共に、前記係止舌片の上端をカバー体の前記係止部に係止させて、ガス噴出状態を保持し、容器本体内の残留ガスを全部排出してしまうようになっている。
【０００５】
【発明が解決しようとする課題】
ところで、上記従来技術では、エアゾール容器の残留ガスを孔明け用具等を用いることなく連続的に噴出状態に保持できるが、上記前者は、係止舌片がカバー体内に隠れているので、その操作時に判り難いという問題がある。また、上記後者にあっては、係止舌片がノズルボタンの押圧操作部に隣接しているので、通常の押圧操作時に誤って該係止舌片を押し曲げ、誤操作を生起せしめる恐れがある。また、従来技術では、一度係止舌片を係止部に係止させて噴出状態にすると、係止解除してガス噴出を中止させることができないほか、残留ガスがノズルから直接大気中に放出される。
【０００６】
本発明は、上記実状に鑑みてなされたもので、その目的とするところは、残留ガス排出状態の保持即ちノズルボタンの係止手段の所在が判り易く、かつ係止操作が簡単でしかも誤操作の恐れがない容器を提供するにある。
そして、本発明の他の目的は、残留内容物排出状態を、係止手段の係止解除によって途中で停止させることができる容器を提供するにある。
また、本発明のさらに他の目的は、残留ガスをノズルボタンのノズルから排出されることのない容器を提供するにある。
【０００７】
【課題を解決するための手段】
本発明では、上記目的を達成するために、次の技術的手段を講じている。
即ち、本発明は、容器本体２に、容器本体２内の内容物を外部に噴射する噴射ステム７が突設されると共に、噴射ステム７の周囲を取り囲むカバー体３と、噴射ステム７を押圧操作するためのノズルボタン４とが設けられている容器１において、
ノズルボタン４に係止部２８が設けられ、該係止部２８に対応してカバー体３に係止片２０が外部に露出するように設けられ、係止片２０を係止部２８側に折曲することにより、噴射ステム７を押圧する位置にノズルボタン４を保持すべく係止片２０が係止部２８への係止可能に構成されている点に特徴がある。
【０００８】
この構成によれば、容器１を使用し終わって容器本体内の残留内容物を排出させる場合、ノズルボタン４を押圧操作方向の逆方向に反転動させてから、係止片２０をその基部を中心として噴射ステム７方向へ屈曲回動した後、ノズルボタン４を常態に戻すことで、前記係止片２０がノズルボタン４に押されて下向きに回動し、さらにノズルボタン４を押圧操作して噴射ステム７を噴射状態にすると、前記係止片２０がその弾性によって上向きに復元しようとすると共に噴射ステム７の上向き付勢力によって、ノズルボタン４の係止部２８が係止片２０の先端に係止し、ノズルボタン４の押圧操作状態、即ち残留内容物噴出常態が維持される。したがって、容器のノズルボタン４の操作者が、係止手段１９を見つけ易くかつ誤操作の恐れはない。なお、前記係止手段１９の配設１帯数は任意に設定可能である。
【０００９】
また本発明に係る容器１は、前記係止片２０がカバー体３の天壁部１３に、折曲可能な基部２２を介して上向き突状に設けられ、係止片２０の先端がノズルボタン４の係止部２８に係止されるようになっている構成とすることができる。
この場合、係止手段１９特に係止片２０が外部に露出しており、その所在を明確に認知できると共に、ノズルボタン４を反転動させない限り係止片２０を係止可能な常態にすることができないので、誤操作の恐れはない。
そして、本発明に係る容器１は、前記ノズルボタン４がカバー体３の天壁部１３と前記係止手段１９の反対側において連結部１６を介して一体化されている構成とすることができる。
【００１０】
また、本発明に係る容器１は、前記ノズルボタン４とカバー体３が別体構造とされているものとすることができ、この場合、カバー体３の天壁部１３中央に、上下回動可能な連結部１６を介してノズルボタン保持案内筒２９が設けられている構成とすることができ、ノズルボタン４を安定的に保持できる。
さらに、本発明に係る容器１は、カバー体３内にノズルボタン回動規制手段３６が設けられているのが好ましい。このような構成にすると、内容物排出操作時に、ノズルボタンが必要以上に押圧回動されるのを防止できる。
【００１１】
また、本発明は、容器本体２に、容器本体２内の内容物を外部に噴射する噴射ステム７が突設されると共に、噴射ステム７の周囲を取り囲むカバー体３と、噴射ステム７を押圧操作するためのノズルボタン４とが設けられ、前記ノズルボタン４を内容物噴射状態でカバー体３に係止する係止手段１９が設けられている容器１において、
前記係止手段１９により、ノズルボタン４を内容物噴射状態でカバー体３に係止した際に、ノズルボタン４の内容物通路２７を閉塞する通路塞止片３７が設けられている点に特徴がある。
【００１２】
この構成によれば、残留内容物排出時に、ノズルボタン４を押圧操作方向と逆方向に反転動させると、通路塞止片３７が噴射ステム７先端に当接する状態となり、ノズルボタン４を常態に戻すと前記通路塞止片３７が噴射ステム７先端に当接して、ノズルボタン４を押圧操作すると、噴射ステム７がこれに当接している通路塞止片３７により作動せられると共に、通路塞止め片３７がノズルボタン４の内容物通路２７を閉塞する。したがって、残留内容物は、噴射ステム７の上端と通路塞片３７の間からカバー体３内に排出され、ノズルボタン４のノズル２５から直接内容物が大気中に放出されることはない。そして、カバー体３内に排出された残留内容物は、ノズルボタン４とカバー体３の隙間から徐々に大気中と放出される。
【００１３】
さらに、本発明は、容器本体２に、容器本体２内の内容物を外部に噴射する噴射ステム７が突設されると共に、噴射ステム７の周囲を取り囲むカバー体３と、噴射ステム７を押圧操作するためのノズルボタン４とが設けられ、前記ノズルボタン４を内容物噴射状態でカバー体３に係止する係止手段１９が設けられている容器１において、
前記係止手段１９の係止解除手段３９が設けられている点に特徴がある。この場合、残留内容物の排出途中でノズルボタン４の係止を解除し、残留内容物の排出を停止できる。
【００１４】
より具体的には、ノズルボタン４に設けた係止部２８の上側に、カバー体３に設けた係止片２０を押し上げてその係止解除を行う係止解除段部３９が設けられている構成とすることができる。かかる構成とすることにより、残留内容物の排出途中で、ノズルボタン４をさらに押圧操作することで、前記係止片がその弾性復元力で係止部２８から外れ、係止解除手段部３９に乗り上げるので、係止力が解かれ、ノズルボタン４の押圧力を解放すると、噴射ステム７の上向き付勢力でノズルボタン４が係止片２０を押し上げて常態に復帰し、残留内容物の排出が停止される。
【００１５】
【発明の実施の形態】
以下、本発明の実施の形態を図面に基いて説明する。
図１〜図４は、本発明に係る容器例えば、液化ガス、ヘアスプレー、殺虫剤スプレー、消臭剤スプレー等のエアゾール容器１の第一の実施形態を示している。このエアゾール容器１は、容器本体２と、カバー体３と、該カバー体３と一体的に形成されたノズルボタン４とから成っている。前記容器本体２は、アルミニウム合金（スチール，ガラス，合成樹脂等により構成される場合もある）製で円筒状を呈し、その上端部には小径の口部（図示省略）が形成されており、該口部にその開口を塞ぐようにアルミニウム合金製等のマウンテンキャップ５が嵌合固着されている。
【００１６】
該マウンテンキャップ５には、その外周部に前記口部に巻回された環状の巻回突部６を有し、中央部に開閉バルブを内蔵する噴射ステム７が上向き突出状に装着されている。この噴射ステム７は、前記ノズルボタン４により下向きに押圧操作することにより前記バルブが開いて、殺虫剤等の内容物を上向きに噴射し、ノズルボタン４の押圧操作を解除すると付勢力により噴射ステム７が上向きに復元し、開閉バルブが閉じて内容物の噴射が停止するようになっている。
前記カバー体３とノズルボタン４は、ポリプロピレン、ポリエチレン等の合成樹脂により、一体的に成形されている。カバー体３は、噴射ステム７の周囲を取り囲むように容器本体２の方部８及びマウンテンキャップ５の外周部を覆っている。
【００１７】
そして、カバー本体３は、円筒状の筒状部９と、筒状部９の下端部から段部１０を介して径方向外方に拡がるように下方に延びるスカート部１１と、筒状部９の下端から前記段部８を介してスカート部１１の内側に下向きに延びる環状の容器本体２への嵌着部１２と、筒状部９の上端から径内方向に延びる鍔状の天壁部１３とにより構成されている。
また、カバー体３の嵌着部１２は、マウンテンキャップ５の巻回突部６に外嵌され、その下端部内周にリング状係止突条１４を有し、該突条１４がマウンテンキャップ５の巻回突部６の外周面下部に下側から係合され、該嵌着部１２がマウンテンキャップ５から不測に外れないように強固に嵌合固定されている。なお、前記嵌着部１２には、上下方向のスリット１５が適所に複数設けられ、マウンテンキャップ５への嵌合時にスリット１５が拡開し、嵌合が無理なく行いうるようになっている。また、前記嵌着部１２は、マウンテンキャップ５の巻回突部６に内嵌させることができる。
【００１８】
そして、前記スカート部１１の下端は、容器本体２の肩部８に当接又は近接されている。
前記カバー体３の天壁部１３の一部分は、ノズルボタン４と連結部１６を介して連結一体化されており、該連結部１６を除く環状（実際は略Ｃ型）のスリット１７の内側に位置して、同心的に前記ノズルボタン４が形成されている。また、前記天壁部１３の内周側には、前記連結部１６の反対側（対向位置）端面に２つの浅い切り込み１８が形成されると共に、ノズルボタン４の係止手段１９の１つを構成する上向きで舌片条の係止片２０が設けられており、該係止片２０の外側（外周側）上面に浅い溝２１が形成されて、その溝底即ち基部２２がヒンジとされ、前記係止片２０を手で図２に矢印（イ）で示す方向に押し下方へ屈曲させうるようになっている。
【００１９】
前記ノズルボタン４は、カバー体３の天壁部１３の上面と面一でかつ連結部１６を介してカバー体３に連結されている同心円板状の基板部２３と、該基板部２３の中央部下側に、噴射ステム７に外嵌固着される円筒状の嵌合部２４と、基板部２３上面に中央から接続部１６側に若干偏って上向き突状に設けたノズル２５と、該ノズル２５に隣接して前記係止片２０側に上向きに突設された押圧操作部２６とからなり、前記嵌合部２４とノズル２５は連通され、内容物通路２７が形成されている。
【００２０】
即ち、カバー体３とノズルボタン４は、連結部１６を残して形成された環状の前記スリット１７で区画され、連結部１６をヒンジ中心としてノズルボタン４がカバー体３に対し上下方向に回動可能になっている。また、ノズルボタン４の基板部２３の前記係止片２０側端部には、前記押圧操作部２６側壁との間に段状の係止部２８が形成され、該係止部２８と前記係止片２０とにより、ノズルボタン４の係止手段１９が構成されている。
なお、前記矢印（イ）は、係止片２０の押動操作方向を示す表示として、カバー体３の天壁部１３上面に形成されている。また、カバー体３の円筒状部９に、オーバーキャップ（図示省略）を着脱自在に外嵌することができる。
【００２１】
次に、上記第一実施形態の操作を図３，図４をも参照して説明する。
まず、通常の使用態様、即ち、容器本体２の内容物を噴射させるときは、ノズルボタン４の押圧操作部２６を図１に矢印（ロ）で示す方向に押圧すると、ノズルボタン４が連結部１６の弾性変形によりカバー本体３に対して、前記連結部１６を中心として下向きに回動し、これによりノズルボタン４がその嵌合部２４を介して噴射ステム７を下方に押動し、噴射ステム７内の開閉バルブが開いて内容物を噴射し、内容物が前記通路２７を経てノズル２５先端から外部に噴射するようになっている。
【００２２】
そして、内容物の噴射を停止するときは、ノズルボタン４の押圧操作部２６への押圧力を解除することにより、前記連結部１６の復元力に加えて、噴射ステム７の上向き付勢力が作用し、ノズルボタン４が上向き回動して復元すると共に、噴射ステム７内の開閉バルブが閉じて内容物の噴射が止まる。
そこで、容器１を使用し終わって、容器本体２内に残留している内容物特にガスを排出してしまう場合、まず、図３に示しているように、ノズルボタン４を連結部１６を中心として上向き回動させると、噴射ステム７からノズルボタン４の前記嵌合部２４が外れ、係止部２８が係止片２０を屈曲操作できる範囲にまで離れる。
【００２３】
次いで、前記係止片２０を、矢印（イ）方向に押動して、その基部２２を中心として径内方向に屈曲させて天壁部１３上面と略面一の図３に示す状態とした後、ノズルボタン４を下向き回動させ、ノズルボタン４の前記係止部２８の下側の基板部２３下面２３ａで、係止片２０を押し下げる。この時、前記嵌合部２４が噴射ステム７に嵌合する。さらに、ノズルボタン４をその押圧操作部２６を押動して、噴射ステム７を押し下げると共に係止片２０を下向きに屈曲させ、噴射ステム７の下降限の手前で、係止片２０がその弾力でノズルボタン４の係止部２８に嵌入し係止され、図４に示す係止状態となる。
【００２４】
図４に示すように、ノズルボタン４がカバー体３に対して係止状態になると、押圧操作部２６から押圧力を解除しても、図４に示す係止状態を維持し、噴射ステム７は残留内容物の噴射を連続して行い、残留内容部噴射状態が維持され、容器本体２内の残留内容物が全て排出される。
上記第一実施形態によれば、ノズルボタン４の係止手段１９の所在位置が、外部から認知し易く、かつ操作が簡単であり、しかも、通常の使用状態では係止片２０に指が触れても、誤ってノズルボタン４が係止状態になる恐れはなくなり、したがって、誤操作を防止できる。
【００２５】
なお、上記実施形態において、係止手段１９は、前記スリット１７周りに任意の個所に設けることができ、その数も必要に応じて複数とすることができる。
図５〜図７は、本発明に係る容器１０１の第二実施形態を示している。この容器１０１は、カバー体３とノズルボタン４が別体構造とされ、カバー体３に同心円筒状のノズルボタン保持案内筒２９を備えている点で第一実施形態と異なっている。
カバー体３は第一実施形態の構成と全く同じで、その天壁部１３に、前記保持案内筒２９が前記連結部１６を介して連結され、ノズルボタン４が前記保持案内筒２９に、一定の範囲だけ上下方向移動可能に外嵌され、ノズルボタン４の天端が押圧操作部２６とされている。そして、前記保持案内筒２９は、その外径が天壁部１３の内周端縁１３ａとの間に形成されるスリット１７に、円筒状ノズルボタン４の下部が遊嵌されるのに十分な大きさとされると共に、天壁部１３の上下面から上下に突出せられ、内部に上下方向中間部に位置して中央に向かって延出するノズルボタン４の上向き移動規制突部３０が周方向複数個所に設けられている。
【００２６】
また、ノズルボタン４は、有蓋二重円筒状を呈し、円筒部ノズル２５とされると共に内筒下端部が噴射ステム７への嵌合部２４とされ、内筒上端部周壁に径方向に内容物を噴射するノズルチップ３１が嵌着されており、内筒部外周面にノズルボタンの上向き移動規制用の係止突部３２が設けられ、該係止突具３２が前記規制突部３０の先端部により係止されるようになっている。
そして、ノズルボタン４の外筒部３３には、下部外周に環状突部３４が設けられ、該突部３４の上面即ち段部が係止手段１９の係止部２８とされており、前記ノズルチップ３１の直下部に前記連結部１６に摺動可能に嵌合する嵌合切欠部３５が設けられ、該外筒部３３内に前記保持案内筒２９が摺動可能に嵌合されるようになっている。
【００２７】
第二実施形態において、通常の内容物噴射時は、ノズルボタン４の押圧操作部２６を押し下げると、前記嵌合部２４を介して噴射ステム７が押動されてその内部の開閉バルブ（図示省略）が開いて、内容物が前記通路２７からノズル２５を経てノズルチップ３１から噴出される。そして、押圧操作部２６の押圧を解除することで、噴射ステム７が上昇しその内部の開閉バルブが閉じて内容物の噴射を停止する。
そこで、容器１０１を使用し終わって、容器本体２内に残留している内容物特にガスを排出してしまう場合、まず、ノズルボタン４を図６に矢印（ハ）で示す方向に、連結部１６を中心として回動させると、噴射ステム７からノズルボタン４の嵌合部２４が外れ、ノズルボタン４の環状突部３４が係止片２０を屈曲操作できる範囲にまで離れる（図３参照）。
【００２８】
次いで、前記係止片２０を、その基部２２を中心として径内方向に屈曲させて天壁部１３上面と略面一とした後、ノズルボタン４を下向き回動させ、ノズルボタン４の前記外筒部３３の環状突部下面３４ａで、係止片２０を押し下げる。この時、前記嵌合部２４が噴射ステム７に嵌合する。
さらに、ノズルボタン４をその押圧操作部２６を押動して、噴射ステム７を押し下げると共に係止片２０を下向きに屈曲させ、噴射ステム７の下降限の手前で、係止片２０の先端が環状突部３４から離れて、その弾力でノズルボタン４の係止部２８に嵌入した係止され、図７に示すように係止状態になる。
【００２９】
ノズルボタン４がカバー体３に対して係止状態になると、押圧操作部２６から押圧力を解除しても図７に示す係止状態を維持し、噴射ステム７は残留内容物の噴射を連続して行い、残留内容物噴射状態が維持され、容器本体２内の残留内容物が排出される。
上記第二実施形態においても、第一実施形態と同等に効果を期待することができる。
図８は、本発明に係る容器２０１の第三実施形態の要部を示し、第二実施形態と異なるところは、ノズルボタン４の環状突部３４外周面に、前記切欠部３５の両側に位置してノズルボタン回動規制手段３６が設けられている点であり、これによって、残留内容物排出時に、ノズルボタン４が必要以上に回動しないようにしてある以外は、第二実施形態と同等の作用効果を奏する。
【００３０】
前記回動規制手段３６は、図８に示すようにノズルボタン４の環状突部３４の下端縁から斜め上向きに設けた係止舌片からなっており、ノズルボタン４をカバー体３に装着する際、点壁部１３内周端縁１３ａで回動規制手段３６が環状突部３４周面側に屈曲された状態で、カバー体３内に挿入される。また、この回動規制手段３６は、舌片に代えてリブ状又は鍔状等とするほかノズルボタン保持案内筒２９に設けることができ、例えば、図８に２点鎖線で示すように、ノズルボタン保持案内筒２９の内周面から下方に突出する突起とすることができる。
【００３１】
なお、図８において、第二実施形態と共通する構成部分については、図７と同符号を付し詳細説明は省略する。
図９，図１０は、本発明に係る容器３０１の第四実施形態を示し、第二実施形態と異なるところは、ノズルボタン保持案内筒を具備せず、カバー体３とノズルボタン４とが完全に独立して取付けられている点である。即ち、カバー体３の点壁部１３は、完全な円形内周端縁１３ａを備え、ノズルボタン４の円筒部に係止突部がなく、外筒部３３に切欠３５が設けられていない。
【００３２】
したがって、通常の内容物噴射時には、ノズルボタン４を下向きに押圧操作すればよい。また、容器３０１を使い終わって残留内容物を排出されるときは、一旦ノズルボタン４を上方に引っ張って噴射ステム７から分離し、カバー体３の外側に取り出した後、係止片２０を天壁部１３と面一になる程度まで径内方向に屈曲してから、ノズルボタン４で係止片２０をその弾力に抗して下向きに折り曲げると同時に、前記嵌合部２４を噴射ステム７に外嵌させる。
このようにして、噴射ステム７にノズルボタン４の嵌合部２４が嵌合し終わるかその直前に、係止片２０の先端がその弾力により係止部２８に嵌入係合し、ノズルボタン４がカバー体３に対して係止状態となり、他方噴射ステム７の内部開閉バルブが開いて、残留内容物の噴射状態が維持される。
【００３３】
第四実施形態においても、第二実施形態と略同等の効果を期待することができる。したがって、図９，図１０において、第二実施形態と共通する構成部分については、図５〜図７と同符号を付し、詳細説明を省略する。
図１１〜図１４は、本発明に係る容器１の第五実施形態を示し、第一実施形態と異なるところは、ノズルボタン４の前記嵌合部２４に、内容物通路２７の入口を閉塞する舌片状の通路塞止片３７を備えている点であり、残留内容物排出時に前記通路２７を閉塞して、噴射ステム７から噴射された内容物がノズル２５を通って外部に噴射されるのを防止し、一旦カバー３内内放出した後、前記スリット１７から外部に排出されるようになっているほかは、第一実施形態と同等の作用効果を奏する。
【００３４】
したがって、第一実施形態と共通する構成部分については、図１〜図４と同符号を符し、第五実施形態については、図１〜図４と同符号を符し、第五実施形態の特徴部分につき説明する。即ち、通路塞止片３７は、図１２に示すように、ノズルボタン４の嵌合部２４に連結部１６側に位置して上下方向に延びる２条のスリット３８を、前記通路２７入口径よりも若干大きい間隔で設け、該スリット３８間の舌片を屈曲可能な厚さにしたもので、噴射ステム７により折り曲げて前記通路２７の入口を塞ぐことができるようになっている。
【００３５】
第五実施形態によれば、容器１を使い終わった後、容器本体２内の残留内容物を排出される場合、第一実施形態と同様にノズルボタン４を上向き回動させて図１３に示す状態とし、係止片２０を径内方向に屈曲させた後（図１３参照）、押圧操作部２６押圧して、ノズルボタン４を下向きに回動させると、先ず通路塞止片３７の下端が噴射ステム７の上端に当接し屈曲し始める。
ノズルボタン４の下向回動に伴って、通路塞止片３７が折り曲げられ、続いてノズルボタン４の下面外周部に係止片２０が当接して折り曲げられる。そして、ノズルボタン４の嵌合部２４に噴射ステム７が嵌合すると共に通路塞止片３７が内容物通路２７の入口を閉塞して、噴射ステム７が押し下げられて内容物の噴射が始まると共に、係止片２０の先端がノズルボタン４の係止部２８に係合し、内容物の噴射状態が維持される。
【００３６】
噴射ステム７から噴射された内容物は、内容物通路２７が前記塞止片３７により閉塞されているので、カバー３内に放出された後、カバー体３とノズルボタン４基板部２３の間のスリット１７から外部に排出される。したがって、残留内容物がのずる２５から勢いよく噴出するのを防止できる。
なお、前記通路塞止片３７は、第二乃至第四実施形態にも付設することができる。また、通路塞止片３７は、通路２７付近に設け、手で通路２７側に折曲するようにしてもよい。また、噴射ステム７と通路塞止片３７との間に隙間を確実に形成して残留内容物の噴出がよりスムーズに行えるように、通路塞止片３７にリブや溝を設けるようにしてもよい。
【００３７】
図１５は、本発明に係る容器１の第六実施形態を示し、第一実施形態と異なるところは、前記係止手段１９の係止解除手段３９が設けられ、残留内容物排出を途中で停止できるようになっている点である。したがって、第一実施形態と同じ作用効果をも奏する。なお、図１５は残留内容物排出状態を示しており、第一実施形態と共通する構成部分については、図１〜図４と同符号を付し、詳細説明は省略する。
前記係止解除手段３９は、ノズルボタン４の係止部２８の上側に、係止片２０が乗り上げらると共に、押圧操作部側壁２６ａに係止片２０の先端が接触しないように設けた解除段部から成っている。そして、この係止解除手段３９は、ノズルボタン４の押圧操作部２６を下向きに押圧して、ノズルボタン４を図１５中点線で示す位置に若干下降させることで、係止片２０がその弾性復元力で自動的に解除段部に乗り上げ、係止解除状態になる。
【００３８】
係止解除により、噴射ステム７は、常時上向きに付勢されているので、ノズルボタン４を押し上げ、内部開閉バルブが閉じて内容物の噴射が停止される。
上記第六実施形態によれば、上述のように、残留内容物の排出途中で、内容物噴射を停止させることができる。なお、係止手段１９は、噴射ステム７の下降ストロークを、係止解除に必要なストロークを残した状態で設計される。
前記係止解除手段３９は、第二乃至第五実施形態にも付設することができるほか、従来のノズルボタン係止手段を備えた容器にも採用でき、また、ノズルボタン４の回動規制手段３６及び通路塞止片３７を、従来の容器にも採用することができる。
【００３９】
図１６は、本発明に係る容器１の第七実施形態の要部を示し、第一実施形態と異なるところは、前記係止手段１９の係止片２０が、カバー体３と別体構造とされている点で、第一実施形態と同等の作用効果を奏する。
即ち、前記カバー体３の天壁部１３内周側で前記連結部１６の反対側端部に、係止片嵌着用切欠段部４０及び嵌着用貫通孔４１が設けられ、係止片２０には下向き突片状の嵌着部４２と上向きの係止突部４３が設けられていると共に、嵌着部４２と係止突部４３の間に切り込み溝４４が設けられ、該溝４４の下側の薄肉基部４５でカバー体３の径内方向に屈曲可能とされている。
【００４０】
そして、前記嵌着部４２の先端部には、カバー体３の天壁部１３下面に係止される抜け止め突起４６が設けられている。なお、係止片２０の操作は第一実施形態と全く同じである。第七実施形態の他の構成部分は第一実施形態と同じであるから、図１と同符号を付し詳細説明を省略する。
図１７，図１８は、本発明に係る容器１の第八実施形態の要部を示し、第一実施形態と異なるところは、係止片２０がカバー体３の天壁部１３と平行でかつ上面及び外周側から割込み溝４７，４８を設けて堀込み状に形成されている点であり、基部２２を中心として径内方向から下方に回動する（図中２点鎖線で示す）。そして係止片２０が天壁部１３から突出していないので、ノズルボタン４の押圧操作時等において誤って係止片２０を屈曲させる恐れはないなど、第一実施形態と同じ作用効果を奏する。したがって第一実施形態と共通する構成部分については、図１，図２と同符号を付し、詳細説明を省略する。
【００４１】
図１９，図２０は、第八実施形態の変形例を示し、係止片２０の屈曲回動の基部２２側端のカバー３外壁部１３内周面に切欠き部４９を設けると共に、上面からの割込み溝４７が切欠き部４９にまで達するように設けられている。したがって、この変形例においても第八実施形態と同じ作用効果をする。
なお、上記各実施形態では、カバー体３の嵌着部１２にスリット１５を設けているので、カバー体３の嵌着解除を行うことができるが、スリット１５に代えて嵌着部１２の一部分に薄肉部を形成することにより、嵌着部１２を弾性変形させて容器本体２から簡単に外れるようにすることができる。
【００４２】
【発明の効果】
本発明によれば、ノズルボタン４の係止手段１９を構成する係止片２０が、外部から見易い位置にあり、かつ径内方向に屈曲させるだけの簡単な操作で係止可能であるうえ、ノズルボタン４の通常の使用状態では、ノズルボタン４の押圧操作部２６を押動するだけでは、係止片２０を径内方向に屈曲できず、したがって、前記押圧操作部２６を押圧した時、係止片２０を誤って操作することがない。また、ノズルボタン４のカバー体３内に位置する部分にノズルボタン回動規制手段３６を設けることにより、噴射ステム７の押圧を確実に保持できる。
【００４３】
そして、ノズルボタン４の内容物通路２７の入口を閉塞する通路塞止片３７を設けることで、残留内容物を、ノズル２５から直接勢いよく噴出させることなく、一旦カバー体３内に噴出した後、スリット１７からゆっくりと排出させることができる。
さらに、ノズルボタン４の係止解除手段３９を設けることで、残留内容物排出途中で係止手段１９の係止片２０を係止部２８から外して、ノズルボタン４を上昇復帰させ噴射ステム７の噴射を停止させることができる。
【図面の簡単な説明】
【図１】本発明の第壱実施形態を示す一部省略中央縦断面（図２のＡ−Ａ線断面）図である。
【図２】図１の上平面図である。
【図３】同実施形態のノズルボタン係止操作説明用断面図である。
【図４】同実施形態のノズルボタン係止状態を示す断面図である。
【図５】本発明の第二実施形態を示す上平面図である。
【図６】図５のＢ−Ｂ線断面図である。
【図７】同第２実施形態のノズルボタン係止状態を示す断面図である。
【図８】本発明の第三実施形態を示す中央縦断面（図５のＢ−Ｂ断面相当）図である。
【図９】本発明の第四実施形態を示す中央縦断面（図５のＢ−Ｂ断面相当）図である。
【図１０】同第四実施形態のノズルボタン係止状態を示す断面図である。
【図１１】本発明の第五実施形態を示す中央縦断面（図２のＡ−Ａ線断面相当）図である。
【図１２】図１１のＣ−Ｃ線矢視図である。
【図１３】同第五実施形態のノズルボタン係止操作説明用断面図である。
【図１４】同第五実施形態のノズルボタン係止状態を示す断面図である。
【図１５】本発明の第六実施形態を示す一部省略中央縦断面（図２のＡ−Ａ線断面相当）図である。
【図１６】本発明の第七実施形態の要部を示す断面図である。
【図１７】本発明の第八実施形態の要部を示す斜視図である。
【図１８】同第八実施形態の要部断面図である。
【図１９】同第八実施形態の変形例を示す斜視図である。
【図２０】同変形例の要部断面図である。
【符号の説明】
１      容器
２      容器本体
３      カバー体
４      ノズルボタン
７      噴射ステム
１２    嵌着部
１３    天壁部
１６    連結部
１９    係止手段
２０    係止片
２２    基部
２４    嵌合部
２５    ノズル
２６    押圧操作部
２７    内容物通路
２８    係止部
２９    ノズルボタン保持案内筒
３６    回動規制手段
３７    通路塞止片
３９    係止解除手段
１０１  容器
２０１  容器
３０１  容器
４０１  容器
【図１】
0003848793.tif 000002
【図２】
0003848793.tif 000003
【図３】
0003848793.tif 000004
【図４】
0003848793.tif 000005
【図５】
0003848793.tif 000006
【図６】
0003848793.tif 000007
【図７】
0003848793.tif 000008
【図８】
0003848793.tif 000009
【図９】
0003848793.tif 000010
【図１０】
0003848793.tif 000011
【図１１】
0003848793.tif 000012
【図１２】
0003848793.tif 000013
【図１３】
0003848793.tif 000014
【図１４】
0003848793.tif 000015
【図１５】
0003848793.tif 000016
【図１６】
0003848793.tif 000017
【図１７】
0003848793.tif 000018
【図１８】
0003848793.tif 000019
【図１９】
0003848793.tif 000020
【図２０】
0003848793.tif 000021